(57)【要約】【課題】  大型ディスプレイに表示される映像コンテンツに連動して、映像コンテンツに関連する情報を専用端末の待受画面に表示することによって映像と専用端末で扱う音楽等の連携効果を高め、又は、映像コンテンツに関連する広告をコピー機等の出力装置に出力させることによって映像のプロモーション効果を高める。【解決手段】  本発明の第１の実施形態では、大型ディスプレイで放映される映像コンテンツの番組情報を情報配信サーバに記憶させることによって、試聴端末の待受画面やコピー機に印刷される広告情報を映像コンテンツに連動させる。第２の実施形態では、大型ディスプレイで放映される映像コンテンツを、試聴端末の待受画面やコピー機に印刷される広告情報を配信する情報配信サーバと同じサーバから配信することによって、映像コンテンツに連動した待受画面や広告情報を配信する。【選択図】        図１
2008252662.tif 000002
【特許請求の範囲】
【請求項１】
映像コンテンツを提供して大型ディスプレイに表示させる映像提供装置と、前記映像コンテンツに関連する情報を提供して専用端末に表示させる情報提供装置とによって実行される映像コンテンツに連動した情報の提供方法であって、
前記映像配信装置は、所定の配信スケジュールに対応して前記映像コンテンツを前記大型ディスプレイに表示させ、
前記情報提供装置には、前記配信スケジュールに対応して前記専用端末に表示させる表示画面ファイルが前記配信スケジュールに定められた時間と関連付けて記憶されていて、
前記情報提供装置が、前記配信スケジュールに前記専用端末の表示画面の切換時間として定められた時間に到達したことを検出するステップと、
前記情報提供装置が、前記時間に関連付けられた表示画面ファイルを読み出すステップと、
前記情報提供装置が、前記表示画面ファイルを前記専用端末に表示させるステップと、
を有することを特徴とする情報の提供方法。
【請求項２】
前記情報提供装置は、前記映像コンテンツに関連する広告情報を出力装置に送信する機能を備えていて、
前記出力装置は、前記情報提供装置から受け付けた広告情報を、前記出力装置から出力する用紙の少なくとも一部に印刷し、
前記情報提供装置には、前記配信スケジュールに対応して前記出力装置から出力する広告情報の印刷に用いられる広告ファイルが前記配信スケジュールに定められた時間と関連付けて記憶されていて、
前記情報提供装置が、前記配信スケジュールに前記出力装置から出力する広告情報の切換時間として定められた時間に到達したことを検出するステップと、
前記情報提供装置が、前記時間に関連付けられた広告ファイルを読み出すステップと、
前記情報提供装置が、前記広告情報を前記出力装置に送信するステップと、
を有することを特徴とする請求項１記載の情報の提供方法。
【請求項３】
映像コンテンツを提供して大型ディスプレイに表示させる映像提供装置と、前記映像コンテンツに関連する広告情報を出力装置に送信する情報提供装置とによって実行される映像コンテンツに連動した情報の提供方法であって、
前記映像配信装置は、所定の配信スケジュールに対応して前記映像コンテンツを前記大型ディスプレイに表示させ、
前記出力装置は、前記情報提供装置から受け付けた広告情報を、前記出力装置から出力する用紙の少なくとも一部に印刷し、
前記情報提供装置には、前記配信スケジュールに対応して前記出力装置から出力する広告情報の印刷に用いられる広告ファイルが前記配信スケジュールに定められた時間と関連付けて記憶されていて、
前記情報提供装置が、前記配信スケジュールに前記出力装置から出力する広告情報の切換時間として定められた時間に到達したことを検出するステップと、
前記情報提供装置が、前記時間に関連付けられた広告ファイルを読み出すステップと、
前記情報提供装置が、前記広告情報を前記出力装置に送信するステップと、
を有することを特徴とする情報の提供方法。
【請求項４】
映像コンテンツを提供して大型ディスプレイに表示させ、かつ前記映像コンテンツに関連する情報を提供して専用端末に表示させる情報提供装置によって実行される映像コンテンツに連動した情報の提供方法であって、
前記情報提供装置には、前記映像コンテンツの映像ファイルが記憶され、かつ前記映像コンテンツの配信スケジュールに対応して前記専用端末に表示させる表示画面ファイルが前記配信スケジュールに定められた時間と関連付けて記憶されていて、
前記情報提供装置が、前記映像コンテンツを読み出して、前記大型ディスプレイに表示させるステップと、
前記情報提供装置が、前記映像コンテンツの配信スケジュールに前記専用端末の表示画面の切換時間として定められた時間に到達したことを検出するステップと、
前記情報提供装置が、前記時間に関連付けられた表示画面ファイルを読み出すステップと、
前記情報提供装置が、前記表示画面ファイルを前記専用端末に表示させるステップと、
を有することを特徴とする情報の提供方法。
【請求項５】
前記情報提供装置は、前記映像コンテンツに関連する広告情報を出力装置に送信する機能を備えていて、
前記出力装置は、前記情報提供装置から受け付けた広告情報を、前記出力装置から出力する用紙の少なくとも一部に印刷し、
前記情報提供装置には、前記配信スケジュールに対応して前記出力装置から出力する広告情報の印刷に用いられる広告ファイルが前記配信スケジュールに定められた時間と関連付けて記憶されていて、
前記情報提供装置が、前記配信スケジュールに前記出力装置から出力する広告情報の切換時間として定められた時間に到達したことを検出するステップと、
前記情報提供装置が、前記時間に関連付けられた広告ファイルを読み出すステップと、
前記情報提供装置が、前記広告情報を前記出力装置に送信するステップと、
を有することを特徴とする請求項４記載の情報の提供方法。
【請求項６】
映像コンテンツを提供して大型ディスプレイに表示させ、かつ前記映像コンテンツに関連する広告情報を出力装置に送信する情報提供装置によって実行される映像コンテンツに連動した情報の提供方法であって、
前記情報提供装置には、前記映像コンテンツの映像ファイルが記憶され、かつ前記映像コンテンツの配信スケジュールに対応して前記出力装置から出力する広告情報の印刷に用いられる広告ファイルが前記配信スケジュールに定められた時間と関連付けて記憶されていて、
前記情報提供装置が、前記映像コンテンツを読み出して、前記大型ディスプレイに表示させるステップと、
前記情報提供装置が、前記映像コンテンツの配信スケジュールに前記出力装置から出力する広告情報の切換時間として定められた時間に到達したことを検出するステップと、
前記情報提供装置が、前記時間に関連付けられた広告ファイルを読み出すステップと、
前記情報提供装置が、前記広告情報を前記出力装置に送信するステップと、
を有していて、
前記出力装置は、前記情報提供装置から受け付けた前記広告情報を、前記出力装置から出力する用紙の少なくとも一部に印刷すること
を特徴とする情報の提供方法。
【請求項７】
映像コンテンツを提供して大型ディスプレイに表示させる映像提供装置に連動した、前記映像コンテンツに関連する情報を提供する専用端末と、前記映像コンテンツに関連する広告情報を出力する用紙の少なくとも一部に印刷する出力装置と、前記専用端末に前記情報を表示させ、かつ前記出力装置に前記広告情報を送信する情報提供装置とからなる情報提供システムであって、
前記情報提供装置には、
前記映像配信装置によって前記大型ディスプレイに前記映像コンテンツを表示する配信スケジュールに対応して前記専用端末に表示させる表示画面ファイルを前記配信スケジュールに定められた時間と関連付けて記憶する第一の記憶手段と、
前記配信スケジュールに前記専用端末の表示画面の切換時間として定められた時間に到達したことを検出する第一の検出手段と、
前記時間に関連付けられた表示画面ファイルを前記第一の記憶手段から読み出す第一の読出手段と、
前記表示画面ファイルを前記専用端末に表示させる表示手段と、
前記配信スケジュールに対応して前記出力装置から出力する広告情報の印刷に用いられる広告ファイルを前記配信スケジュールに定められた時間と関連付けて記憶する第二の記憶手段と、
前記配信スケジュールに前記出力装置から出力する広告情報の切換時間として定められた時間に到達したことを検出する第二の検出手段と、
前記時間に関連付けられた広告ファイルを前記第二の記憶手段から読み出す第二の読出手段と、
前記広告情報を前記出力装置に送信する送信手段と、
を備えることを特徴とする情報提供システム。
【請求項８】
大型ディスプレイに表示する映像コンテンツに連動した、前記映像コンテンツに関連する情報を提供する専用端末と、前記映像コンテンツに関連する広告情報を出力する用紙の少なくとも一部に印刷する出力装置と、前記大型ディスプレイに前記映像コンテンツを表示させ、かつ前記専用端末に前記情報を表示させ、かつ前記出力装置に前記広告情報を送信する情報提供装置とからなる情報提供システムであって、
前記情報提供装置には、
前記映像コンテンツの映像ファイルを記憶する映像記憶手段と、
前記映像記憶手段から前記映像コンテンツを読み出して、前記大型ディスプレイに表示させる映像表示手段と、
前記映像表示手段によって前記大型ディスプレイに前記映像コンテンツを表示する配信スケジュールに対応して前記専用端末に表示させる表示画面ファイルを前記配信スケジュールに定められた時間と関連付けて記憶する第一の記憶手段と、
前記配信スケジュールに前記専用端末の表示画面の切換時間として定められた時間に到達したことを検出する第一の検出手段と、
前記時間に関連付けられた表示画面ファイルを前記第一の記憶手段から読み出す第一の読出手段と、
前記表示画面ファイルを前記専用端末に表示させる表示手段と、
前記配信スケジュールに対応して前記出力装置から出力する広告情報の印刷に用いられる広告ファイルを前記配信スケジュールに定められた時間と関連付けて記憶する第二の記憶手段と、
前記配信スケジュールに前記出力装置から出力する広告情報の切換時間として定められた時間に到達したことを検出する第二の検出手段と、
前記時間に関連付けられた広告ファイルを前記第二の記憶手段から読み出す第二の読出手段と、
前記広告情報を前記出力装置に送信する送信手段と、
を備えることを特徴とする情報提供システム。
【発明の詳細な説明】
【技術分野】
【０００１】
本発明は、大型ディスプレイに表示される映像コンテンツに連動して、映像コンテンツに関連する情報を専用端末の待受画面に表示したり、映像コンテンツに関連する広告をコピー機等の出力装置に出力させたりする情報の提供方法及び情報提供システムに関するものである。
【背景技術】
【０００２】
大型ディスプレイの普及や、映像をストリーミングで配信するためのネットワークインフラの整備に伴い、公共スペースに大型ディスプレイを設置し、ストリーミングで映像を配信する映像配信システム（例えば、特許文献１参照。）を利用して、音楽番組などの映像を配信するサービスが提供されるようになっている。
【０００３】
一方、楽曲等のコンテンツを試聴したりダウンロードして購入したりする手段として、店舗等にネットワークに接続された専用端末を設置する音楽配信システムが提供されるようになっている（例えば、特許文献２参照。）。
【０００４】
これらの２つのシステムを併用して、配信される映像で使用される楽曲について、音楽配信システムにより詳細な情報や楽曲ファイルを提供可能なように設定しておくと、例えば、音楽番組などの映像を配信しながら、その番組で流れている楽曲を専用端末で試聴して購入することが可能になる。このような利用の仕方をすると、双方のシステムの相乗効果が発揮され、映像配信システムは視聴者が増加することによりプロモーションツールとしての利用価値が高まり、音楽配信システムは映像配信のプロモーション効果によって楽曲の販売が促進されるという効果が期待できることになる。
【０００５】
【特許文献１】特開２００１−１８６４９６号公報
【特許文献２】特開２００２−６８６０号公報、段落００１０、００３２
【発明の開示】
【発明が解決しようとする課題】
【０００６】
上記のように、映像配信システムと音楽配信システムを併用する場合には、映像で楽曲が流れている際に、その楽曲を専用端末から速やかに試聴して購入することができるように、両者が効果的に連携していることが好ましい。
【０００７】
また、このようなシステムは、例えば、大学のカフェテリア等に設置すると注目されやすいと考えられるが、映像コンテンツのプロモーション効果をさらに有効に利用するために、同じ環境に設置されることが多い他の機器類とも連動するものであれば、なお好ましい。
【０００８】
本発明は、このような課題に対応するためになされたものであり、大型ディスプレイに表示される映像コンテンツに連動して、映像コンテンツに関連する情報を専用端末の待受画面に表示することによって映像と専用端末で扱う音楽等の連携効果を高め、さらに、映像コンテンツに関連する広告をコピー機等の出力装置に出力させることによって映像のプロモーション効果を高めることが可能な、情報の提供方法及び情報提供システムを提供することを目的とするものである。
【課題を解決するための手段】
【０００９】
本願にかかる課題を解決する第１の発明は、映像コンテンツを提供して大型ディスプレイに表示させる映像提供装置と、前記映像コンテンツに関連する情報を提供して専用端末に表示させる情報提供装置とによって実行される映像コンテンツに連動した情報の提供方法であって、前記映像配信装置は、所定の配信スケジュールに対応して前記映像コンテンツを前記大型ディスプレイに表示させ、前記情報提供装置には、前記配信スケジュールに対応して前記専用端末に表示させる表示画面ファイルが前記配信スケジュールに定められた時間と関連付けて記憶されていて、前記情報提供装置が、前記配信スケジュールに前記専用端末の表示画面の切換時間として定められた時間に到達したことを検出するステップと、前記情報提供装置が、前記時間に関連付けられた表示画面ファイルを読み出すステップと、前記情報提供装置が、前記表示画面ファイルを前記専用端末に表示させるステップと、を有することを特徴とする情報の提供方法である。
【００１０】
本願にかかる課題を解決する第２の発明は、映像コンテンツを提供して大型ディスプレイに表示させる映像提供装置と、前記映像コンテンツに関連する広告情報を出力装置に送信する情報提供装置とによって実行される映像コンテンツに連動した情報の提供方法であって、前記映像配信装置は、所定の配信スケジュールに対応して前記映像コンテンツを前記大型ディスプレイに表示させ、前記出力装置は、前記情報提供装置から受け付けた広告情報を、前記出力装置から出力する用紙の少なくとも一部に印刷し、前記情報提供装置には、前記配信スケジュールに対応して前記出力装置から出力する広告情報の印刷に用いられる広告ファイルが前記配信スケジュールに定められた時間と関連付けて記憶されていて、前記情報提供装置が、前記配信スケジュールに前記出力装置から出力する広告情報の切換時間として定められた時間に到達したことを検出するステップと、前記情報提供装置が、前記時間に関連付けられた広告ファイルを読み出すステップと、前記情報提供装置が、前記広告情報を前記出力装置に送信するステップと、を有することを特徴とする情報の提供方法である。
【００１１】
第１の発明では、大型ディスプレイに表示される映像コンテンツの配信スケジュールとの関連付けによって、映像コンテンツに関連する情報を提供するキオスク端末等の専用端末に、映像コンテンツを表示させる映像提供装置に連動した表示画面を表示することができる。第２の発明では、大型ディスプレイに表示される映像コンテンツの配信スケジュールとの関連付けによって、コピー機等の出力装置に、映像コンテンツを表示させる映像提供装置に連動した広告情報を印刷することができる。
【００１２】
尚、本発明においては、第１の発明と第２の発明を組み合わせて提供することも可能である。すなわち、第１の発明において、前記情報提供装置は、前記映像コンテンツに関連する広告情報を出力装置に送信する機能を備えていて、前記出力装置は、前記情報提供装置から受け付けた広告情報を、前記出力装置から出力する用紙の少なくとも一部に印刷し、前記情報提供装置には、前記配信スケジュールに対応して前記出力装置から出力する広告情報の印刷に用いられる広告ファイルが前記配信スケジュールに定められた時間と関連付けて記憶されていて、前記情報提供装置が、前記配信スケジュールに前記出力装置から出力する広告情報の切換時間として定められた時間に到達したことを検出するステップと、前記情報提供装置が、前記時間に関連付けられた広告ファイルを読み出すステップと、前記情報提供装置が、前記広告情報を前記出力装置に送信するステップと、を有することを特徴とすることもできる。
【００１３】
本願にかかる課題を解決する第３の発明は、映像コンテンツを提供して大型ディスプレイに表示させ、かつ前記映像コンテンツに関連する情報を提供して専用端末に表示させる情報提供装置によって実行される映像コンテンツに連動した情報の提供方法であって、前記情報提供装置には、前記映像コンテンツの映像ファイルが記憶され、かつ前記映像コンテンツの配信スケジュールに対応して前記専用端末に表示させる表示画面ファイルが前記配信スケジュールに定められた時間と関連付けて記憶されていて、前記情報提供装置が、前記映像コンテンツを読み出して、前記大型ディスプレイに表示させるステップと、前記情報提供装置が、前記映像コンテンツの配信スケジュールに前記専用端末の表示画面の切換時間として定められた時間に到達したことを検出するステップと、前記情報提供装置が、前記時間に関連付けられた表示画面ファイルを読み出すステップと、前記情報提供装置が、前記表示画面ファイルを前記専用端末に表示させるステップと、を有することを特徴とする情報の提供方法である。
【００１４】
本願にかかる課題を解決する第４の発明は、映像コンテンツを提供して大型ディスプレイに表示させ、かつ前記映像コンテンツに関連する広告情報を出力装置に送信する情報提供装置によって実行される映像コンテンツに連動した情報の提供方法であって、前記情報提供装置には、前記映像コンテンツの映像ファイルが記憶され、かつ前記映像コンテンツの配信スケジュールに対応して前記出力装置から出力する広告情報の印刷に用いられる広告ファイルが前記配信スケジュールに定められた時間と関連付けて記憶されていて、前記情報提供装置が、前記映像コンテンツを読み出して、前記大型ディスプレイに表示させるステップと、前記情報提供装置が、前記映像コンテンツの配信スケジュールに前記出力装置から出力する広告情報の切換時間として定められた時間に到達したことを検出するステップと、前記情報提供装置が、前記時間に関連付けられた広告ファイルを読み出すステップと、前記情報提供装置が、前記広告情報を前記出力装置に送信するステップと、を有していて、前記出力装置は、前記情報提供装置から受け付けた前記広告情報を、前記出力装置から出力する用紙の少なくとも一部に印刷することを特徴とする情報の提供方法である。
【００１５】
第３の発明では、映像コンテンツの配信スケジュールとの関連付けによって、映像コンテンツに関連する情報を提供するキオスク端末等の専用端末に、大型ディスプレイに表示する映像コンテンツに連動した表示画面を表示することができる。第２の発明では、映像コンテンツの配信スケジュールとの関連付けによって、コピー機等の出力装置に、大型ディスプレイに表示する映像コンテンツに連動した広告情報を印刷することができる。
【００１６】
尚、本発明においては、第３の発明と第４の発明を組み合わせて提供することも可能である。すなわち、第３の発明において、前記情報提供装置は、前記映像コンテンツに関連する広告情報を出力装置に送信する機能を備えていて、前記出力装置は、前記情報提供装置から受け付けた広告情報を、前記出力装置から出力する用紙の少なくとも一部に印刷し、前記情報提供装置には、前記配信スケジュールに対応して前記出力装置から出力する広告情報の印刷に用いられる広告ファイルが前記配信スケジュールに定められた時間と関連付けて記憶されていて、前記情報提供装置が、前記配信スケジュールに前記出力装置から出力する広告情報の切換時間として定められた時間に到達したことを検出するステップと、前記情報提供装置が、前記時間に関連付けられた広告ファイルを読み出すステップと、前記情報提供装置が、前記広告情報を前記出力装置に送信するステップと、を有することを特徴とすることもできる。
【００１７】
また、本発明にかかる映像コンテンツに連動した情報の提供方法は、前記情報の提供方法を実行するための情報提供システムとして構成することもできる。
【発明の効果】
【００１８】
本発明によって、大型ディスプレイに表示される映像コンテンツに連動して、映像コンテンツに関連する情報を専用端末の待受画面に表示することによって、映像コンテンツと専用端末で扱う音楽等の連携効果を高めたり、映像コンテンツに関連する広告をコピー機等の出力装置に出力させることによって映像のプロモーション効果を高めたりすることが可能になる。
【００１９】
例えば、大学のカフェテリアのような集合スペースにディスプレイ、専用端末、コピー機を合わせて設置して本発明を実施すれば、映像コンテンツのプロモーション効果を高めて有効に利用することができるとともに、コピー機を無料や割引価格で提供することなども可能になり、特に好適である。
【発明を実施するための最良の形態】
【００２０】
本発明を実施するための最良の形態について、図面を用いて、以下に詳細に説明する。尚、以下の説明は本発明の実施形態を例示したものであって、本発明は以下に示した実施形態に限定されるものではない。
【００２１】
図１は、本発明にかかる情報提供システムの、第１の実施形態の概要を示す図である。図２、図３は、本発明にかかる情報提供システムの、第１の実施形態にかかる構成の、それぞれ第１の例、第２の例を示す図である。図４は、本発明にかかる情報提供システムの、第２の実施形態の概要を示す図である。図５、図６は、本発明にかかる情報提供システムの、第２の実施形態にかかる構成の、それぞれ第１の例、第２の例を示す図である。図７、図８は、本発明にかかる情報の提供方法における、大型ディスプレイに表示される映像コンテンツと試聴端末に表示される待受画面、コピー機で印刷される広告情報の連動方法の、それぞれ第１の例、第２の例を示す図である。図９は、本発明にかかる情報の提供方法における、試聴端末に表示される待受画面とコピー機に印刷される広告情報の更新フローを示すフローチャートである。
【００２２】
図１〜図３に示した本発明の第１の実施形態では、大型ディスプレイで放映される映像コンテンツの番組情報を情報配信サーバに記憶させることによって、試聴端末の待受画面やコピー機に印刷される広告情報を映像コンテンツに連動させる。図４〜図６に示した本発明の第２の実施形態では、大型ディスプレイで放映される映像コンテンツを、試聴端末の待受画面やコピー機に印刷される広告情報を配信する情報配信サーバと同じサーバから配信することによって、映像コンテンツに連動した待受画面や広告情報を配信する。
【００２３】
図１は、本発明の第１の実施形態の概要を示したものである。大学のカフェテリア等の公共スペースに、プラズマや液晶などの大型ディスプレイを設置して、映像配信サーバから音楽番組などの映像コンテンツを、インターネット等のネットワークを介してストリーミングで配信する。
【００２４】
大型ディスプレイには視聴用の専用端末（試聴端末）が併設され、試聴端末はインターネット等のネットワークに接続されていて、情報配信サーバから音楽番組で放映された楽曲に関する情報を取得したり、視聴用の楽曲ファイルを取得して視聴を行ったりすることが可能になっている。また、コピー機を併設し、音楽番組のスポンサー等の広告情報をこのコピー機でコピーした用紙の裏面に印刷することによって、コピーサービスを無料で提供できることとしてもよい。
【００２５】
第１の実施形態では、試聴端末やコピー機に提供するデータを、本情報提供システムを提供する事業者が運用する情報配信サーバに都度アクセスして取得することとしてもよいし、試聴端末やコピー機の設置場所毎に店舗サーバを配置し、情報配信サーバから店舗サーバへ定期的に情報を送信して最新情報に更新することによって、試聴等のリクエストには店舗サーバで応答することとしてもよい。図２は前者の場合の、図３は後者の場合の情報提供システム構成の一例を示している。
【００２６】
図２の構成では、大型ディスプレイ４０には、映像配信サーバ１０から映像コンテンツが配信され、試聴端末５０とコピー機６０には、情報配信サーバ２０から必要な情報が配信されることとなっている。
【００２７】
大型ディスプレイ４０には、ディスプレイのコントローラであるディスプレイ背面等の位置に表示制御装置４１が設置される。表示制御装置４１は、インターネットを介して映像配信サーバ１０と接続されており、映像配信サーバ１０からの遠隔操作によって、電源のＯＮ／ＯＦＦ等の制御を実行する。
【００２８】
映像配信サーバ１０は、大型ディスプレイ４０に映像コンテンツをストリーミング配信するための機能を備えたサーバであり、ＣＰＵ、メインメモリ、ＨＤＤを少なくとも備えたコンピュータシステムによって構成されている。映像配信サーバ１０の映像配信制御部１１は機能的に特定されるものであって、これらの機能を実行するためには、各々に対応するアプリケーションプログラムが映像配信サーバ１０のＨＤＤからメインメモリに読み出されて、ＣＰＵで演算処理が行われる。番組情報記憶部１２、映像ファイル格納部１３には、ＨＤＤやメインメモリの所定の記憶領域が割り当てられる。
【００２９】
映像配信制御部１１は、番組情報記憶部１２に記憶された映像コンテンツの配信スケジュールを参照して、映像コンテンツの配信を開始する所定の時間に到達すると、映像ファイル格納部１３から対応する映像ファイルを読み出して、映像コンテンツを放映する大型ディスプレイ４０の表示制御装置４１に、映像ファイルと放映開始の指示等のデータを送信する。表示制御装置４１では、放映開始の指示にあわせて、受信した映像ファイルを大型ディスプレイ４０に再生する。
【００３０】
尚、大型ディスプレイ４０での映像ファイルの再生は、必ずしも映像配信サーバ１０から受信してリアルタイムで行うものでなくてもよく、表示制御装置４１に一時的にキャッシュしておいて、指示された放映開始時間にあわせて再生を開始することとしてもよい。
【００３１】
試聴端末５０の構成は特に限定されるものではないが、例えば、タッチパネルにより操作可能なヘッドフォン付のキオスク端末を用いて、画面に触れて操作することによって、ある楽曲に関する詳しい情報の取得や、試聴用音源の試聴などを行うことが可能な構成とすればよい。試聴端末５０を用いて、楽曲のダウンロード販売を行えるように構成してもよい。
【００３２】
コピー機６０には、通常のコピー機能に加えて、利用者がコピー面の裏面に広告を自動印刷する機能を備えたコピー機が用いられる。このようなコピー機を用いることとすれば、広告を掲載するスポンサーからの広告掲載料によって、コピー料金を無料又は割引料金とすることが可能になる。
【００３３】
情報配信サーバ２０は、試聴端末５０とのデータの送受信やコピー機６０のデータの更新等に必要な機能を備えたサーバであり、ＣＰＵ、メインメモリ、ＨＤＤを少なくとも備えたコンピュータシステムによって構成されている。情報配信サーバ２０のタッチパネル制御部２１、楽曲配信制御部２２、画面配信制御部２３、広告配信制御部２４は、いずれも機能的に特定されるものであって、これらの機能を実行するためには、各々に対応するアプリケーションプログラムが情報配信サーバ２０のＨＤＤからメインメモリに読み出されて、ＣＰＵで演算処理が行われる。番組情報記憶部２５、楽曲情報格納部２６、楽曲ファイル格納部２７、画面ファイル格納部２８、広告ファイル格納部２９には、それぞれＨＤＤやメインメモリの所定の記憶領域が割り当てられる。
【００３４】
情報配信サーバ２０は、試聴端末５０、コピー機６０と個々に直接データの送受信を行うこととしてもよいが、情報配信サーバ２０との通信制御やデータの一時記憶等の機能を有する店舗サーバ７０を設置場所ごとに配置することとしてもよい。
【００３５】
試聴端末５０は、大型ディスプレイ４０で放映された楽曲に関する詳しい情報の取得、楽曲の試聴、購入などに用いるためのキオスク端末である。タッチパネル制御部２１は、試聴端末５０のタッチパネルに表示する情報を制御し、例えば利用者が画面上である楽曲のタイトルを選択すると、該当する楽曲に関する詳細な情報を楽曲情報格納部２６から読み出して、試聴端末５０のタッチパネルに表示させる。
【００３６】
また、利用者がタッチパネル上である楽曲の試聴のリクエストを選択すると、楽曲配信制御部２２が起動され、選択された楽曲の視聴用の楽曲ファイルが楽曲ファイル格納部２７から読み出されて、試聴端末５０に送信される。試聴端末５０では楽曲ファイルが再生されて、専用のヘッドフォンを用いて試聴することができる。
【００３７】
さらに、試聴のみでなく、楽曲を購入できるように構成してもよい。利用者がタッチパネル上である楽曲の購入のリクエストを選択すると、楽曲配信制御部２２が起動され、選択された楽曲の販売用の楽曲ファイルが楽曲ファイル格納部２７から読み出されて、試聴端末５０に送信される。利用者は試聴端末５０に記憶メディア等を挿入して楽曲ファイルをコピーし、試聴端末５０では何らかの課金処理を行うことによって、楽曲の購入に対応することも可能になる。
【００３８】
このような情報配信サーバ２０に備えられる機能に加えて、本発明においては、番組情報記憶部２５に映像配信サーバ１０から配信される映像コンテンツの配信スケジュールを記憶させておくことによって、試聴端末５０のタッチパネルの待受画面等の表示画面やコピー機６０に印刷する広告情報を、大型ディスプレイ４０に放映される映像コンテンツに連動させる機能が備えられている。
【００３９】
画面配信制御部２３は、番組情報記憶部２５に記憶された待受画面の切換時間に到達することを検知すると、試聴端末５０のタッチパネルの待受画面に表示するための画面ファイルを画面ファイル格納部２８から読み出して、試聴端末５０に送信する。試聴端末５０では、待受画面が受信した画面ファイルに切り換えられる。
【００４０】
広告配信制御部２４は、番組情報記憶部２５に記憶された広告情報の切換時間に到達することを検知すると、コピー機６０に出力させる広告情報の出力に用いられる広告ファイルを広告ファイル格納部２９から読み出して、試聴端末５０に送信する。コピー機６０には、コピー面の裏面に印刷するための広告ファイルがメモリ領域等に一時記憶されているが、新たな広告ファイルを受信すると一時記憶しているデータが新たな広告ファイルに更新され、以降の出力時に用いられることとなる。
【００４１】
映像コンテンツの配信スケジュールと切り換えられる待受画面、広告情報は、図７や図８の例に示すような関係で、それぞれが関連付けて記憶されている。尚、図７、図８は関連付けの一例であるので、これ以外に、例えば複数番組単位、時間単位などを基準に他の関連付けを行うこととしてもよい。
【００４２】
図７の例では、映像コンテンツの１番組に対して、１つの待受画面と広告情報が関連付けられている。例えば、番組１の放映が開始される時間になると、この番組で放映される楽曲の一覧等であり、各々の楽曲部分を選択すると詳しい楽曲情報の取得や試聴のための画面にリンクされた待受画面１が、試聴端末５０のタッチパネルに表示される。また、コピー機６０には、番組１のスポンサーであるＡ社の広告情報が一時記憶され、番組１が放映されている間にコピー機６０を利用すると、コピー面の裏面にはＡ社の広告が印刷される。
【００４３】
図８の例では、映像コンテンツの１番組の中で放映される１楽曲に対して、１つの待受画面と広告情報が関連付けられている。例えば、番組１の中で楽曲１が放映される時間になると、この楽曲に関する画面であり、詳しい楽曲情報の取得や試聴のための画面にリンクされた待受画面１が、試聴端末５０のタッチパネルに表示される。また、番組１の中でＡ社の広告が放映される時間になると、コピー機６０にＡ社の広告情報が送信されて、その後にＢ社の広告が放映されるまでの間にコピー機６０を利用すると、コピー面の裏面にはＡ社の広告が印刷される。
【００４４】
図３について、大型ディスプレイ４０には、映像配信サーバ１０から映像コンテンツが配信され、試聴端末５０とコピー機６０には、情報配信サーバ２０から必要な情報が配信される基本構成については図２の構成と同様であるが、視聴のリクエスト等の都度に通信ネットワークを介する必要のないように、図２の情報提供サーバ２０に備えられる機能が設置場所毎に配置される店舗サーバ７０に備えられることとなっている。
【００４５】
図３の構成では、試聴端末５０の待受画面の切り換えやコピー機６０の広告情報の更新は、店舗サーバ７０によって行われる。店舗サーバ７０は、試聴端末５０とのデータの交信やコピー機６０のデータの更新等に必要な機能を備えたサーバであり、ＣＰＵ、メインメモリ、ＨＤＤを少なくとも備えたコンピュータシステムによって構成されている。店舗サーバ７０のタッチパネル制御部７１、楽曲配信制御部７２、画面配信制御部７３、広告配信制御部７４は、いずれも機能的に特定されるものであって、これらの機能を実行するためには、各々に対応するアプリケーションプログラムが情報配信サーバ２０のＨＤＤからメインメモリに読み出されて、ＣＰＵで演算処理が行われる。番組情報記憶部７５、楽曲情報格納部７６、楽曲ファイル格納部７７、画面ファイル格納部７８、広告ファイル格納部７９には、それぞれＨＤＤやメインメモリの所定の記憶領域が割り当てられる。
【００４６】
一方、情報配信サーバ２０では、所定のタイミングで情報配信制御部３０が起動され、店舗サーバ７０で用いられる番組情報、楽曲情報、楽曲ファイル、画面ファイル、広告ファイルの少なくとも一部がそれぞれ番組情報記憶部２５、楽曲情報格納部２６、楽曲ファイル格納部２７、画面ファイル格納部２８、広告ファイル格納部２９から読み出され、店舗サーバ７０に送信されて、店舗サーバ７０の情報が最新の状態に更新されることとなっている。
【００４７】
図４は、本発明の第２の実施形態の概要を示したものである。大学のカフェテリア等の公共スペースに、映像コンテンツをストリーミングで配信するプラズマや液晶などの大型ディスプレイを設置し、視聴用の専用端末（試聴端末）やコピー機を併設することは第１の実施形態と同様であるが、第２の実施形態では、試聴端末の待受画面やコピー機に印刷される広告情報を配信する情報配信サーバと同じサーバから映像コンテンツを配信する。
【００４８】
第２の実施形態でも、試聴端末やコピー機に提供するデータを、本情報提供システムを提供する事業者が運用する情報配信サーバに都度アクセスして取得することとしてもよいし、試聴端末やコピー機の設置場所毎に店舗サーバを配置し、情報配信サーバから店舗サーバへ定期的に情報を送信して最新情報に更新することによって、試聴等のリクエストには店舗サーバで応答することとしてもよいことは、第１の実施形態と同様である。図５は前者の場合の、図６は後者の場合の情報提供システム構成の一例を示している。
【００４９】
図５の構成では、映像・情報配信サーバ８０から大型ディスプレイ４０に映像コンテンツが配信され、試聴端末５０とコピー機６０にも同じ映像・情報配信サーバ８０から必要な情報が配信されることとなっている。
【００５０】
プラズマや液晶等の大型ディスプレイ４０には、ディスプレイのコントローラであるディスプレイ背面等の位置に表示制御装置４１が設置される。表示制御装置４１は、インターネットを介して映像配信サーバ１０と接続されており、映像・情報配信サーバ８０からの遠隔操作によって、電源のＯＮ／ＯＦＦ等の制御を実行する。
【００５１】
映像・情報配信サーバ８０は、大型ディスプレイ４０に映像コンテンツをストリーミング配信するための機能の他、試聴端末５０とのデータの送受信やコピー機６０のデータの更新等に必要な機能を備えたサーバであり、ＣＰＵ、メインメモリ、ＨＤＤを少なくとも備えたコンピュータシステムによって構成されている。映像・情報配信サーバ８０の映像配信制御部８１、タッチパネル制御部８２、楽曲配信制御部８３、画面配信制御部８４、広告配信制御部８５は、いずれも機能的に特定されるものであって、これらの機能を実行するためには、各々に対応するアプリケーションプログラムが映像・情報配信サーバ８０のＨＤＤからメインメモリに読み出されて、ＣＰＵで演算処理が行われる。番組情報記憶部８６、映像ファイル格納部８７、楽曲情報格納部８８、楽曲ファイル格納部８９、画面ファイル格納部９０、広告ファイル格納部９１には、それぞれＨＤＤやメインメモリの所定の記憶領域が割り当てられる。
【００５２】
映像配信制御部８１は、番組情報記憶部８６に記憶された映像コンテンツの配信スケジュールを参照して、映像コンテンツの配信を開始する所定の時間に到達すると、映像ファイル格納部８７から対応する映像ファイルを読み出して、映像コンテンツを放映する大型ディスプレイ４０の表示制御装置４１に、映像ファイルと放映開始の指示等のデータを送信する。表示制御装置４１では、放映開始の指示にあわせて、受信した映像ファイルを大型ディスプレイ４０に再生する。
【００５３】
尚、大型ディスプレイ４０での映像ファイルの再生は、必ずしも映像・情報配信サーバ８０から受信してリアルタイムで行うものでなくてもよく、表示制御装置４１に一時的にキャッシュしておいて、指示された放映開始時間にあわせて再生を開始することとしてもよいことは、第１の実施形態と同様である。
【００５４】
試聴端末５０、コピー機６０の構成については特に限定されるものではなく、第１の実施形態と同様の機能を備えるものであればよい。コピー機６０については、広告を掲載するスポンサーからの広告掲載料によって、コピー料金を無料又は割引料金とすることが可能になることも、第１の実施形態と同様である。
【００５５】
映像・情報配信サーバ８０は、試聴端末５０、コピー機６０と個々に直接データの送受信を行うこととしてもよいが、映像・情報配信サーバ８０との通信制御やデータの一時記憶等の機能を有する店舗サーバ１００を設置場所ごとに配置することとしてもよいことも、第１の実施形態と同様である。
【００５６】
試聴端末５０は、大型ディスプレイ４０で放映された楽曲に関する詳しい情報の取得、楽曲の試聴、購入などに用いるためのキオスク端末である。タッチパネル制御部８２は、試聴端末５０のタッチパネルに表示する情報を制御し、例えば利用者が画面上である楽曲のタイトルを選択すると、該当する楽曲に関する詳細な情報を楽曲情報格納部８８から読み出して、試聴端末５０のタッチパネルに表示させる。
【００５７】
また、利用者がタッチパネル上である楽曲の試聴のリクエストを選択すると、楽曲配信制御部８３が起動され、選択された楽曲の視聴用の楽曲ファイルが楽曲ファイル格納部８９から読み出されて、試聴端末５０に送信される。試聴端末５０では楽曲ファイルが再生されて、専用のヘッドフォンを用いて試聴することができる。
【００５８】
さらに、試聴のみでなく、楽曲を購入できるように構成してもよい。利用者がタッチパネル上である楽曲の購入のリクエストを選択すると、楽曲配信制御部８３が起動され、選択された楽曲の販売用の楽曲ファイルが楽曲ファイル格納部８９から読み出されて、試聴端末５０に送信される。利用者は試聴端末５０に記憶メディア等を挿入して楽曲ファイルをコピーし、試聴端末５０では何らかの課金処理を行うことによって、楽曲の購入に対応することも可能になる。
【００５９】
このような映像・情報配信サーバ８０に備えられる機能に加えて、本発明においては、画面配信制御部８４と広告配信制御部８５が、映像コンテンツの配信スケジュールを記憶した番組情報記憶部８６を参照して、映像コンテンツとの連動を実現するための以下の動作を実行する機能が備えられている。
【００６０】
画面配信制御部８４は、番組情報記憶部８６に記憶された待受画面の切換時間に到達することを検知すると、試聴端末５０のタッチパネルの待受画面に表示するための画面ファイルを画面ファイル格納部９０から読み出して、試聴端末５０に送信する。試聴端末５０では、待受画面が受信した画面ファイルに切り換えられる。
【００６１】
広告配信制御部８５は、番組情報記憶部８６に記憶された広告情報の切換時間に到達することを検知すると、コピー機６０に出力させる広告情報の出力に用いられる広告ファイルを広告ファイル格納部９１から読み出して、試聴端末５０に送信する。コピー機６０には、コピー面の裏面に印刷するための広告ファイルがメモリ領域等に一時記憶されているが、新たな広告ファイルを受信すると一時記憶しているデータが新たな広告ファイルに更新され、以降の出力時に用いられることとなる。
【００６２】
尚、映像コンテンツの配信スケジュールと切り換えられる待受画面、広告情報の関連付けについては第１の実施形態と同様であり、例えば、図７や図８を用いて説明したように関連付けを行うことができる。
【００６３】
図６について、大型ディスプレイ４０、試聴端末５０、コピー機６０に映像その他の情報が配信される基本構成については図５の構成と同様であるが、視聴のリクエスト等の都度に通信ネットワークを介する必要のないように、図５の映像・情報提供サーバ８０に備えられる機能が設置場所毎に配置される店舗サーバ１００に備えられることとなっている。
【００６４】
図６の構成では、映像コンテンツのスケジュール制御、試聴端末５０の待受画面の切り換えやコピー機６０の広告情報の更新は、店舗サーバ１００によって行われる。店舗サーバ１００は、表示制御装置４１への映像表示の指示、試聴端末５０とのデータの交信やコピー機６０のデータの更新等に必要な機能を備えたサーバであり、ＣＰＵ、メインメモリ、ＨＤＤを少なくとも備えたコンピュータシステムによって構成されている。店舗サーバ１００の映像配信制御部１０１、タッチパネル制御部１０２、楽曲配信制御部１０３、画面配信制御部１０４、広告配信制御部１０５は、いずれも機能的に特定されるものであって、これらの機能を実行するためには、各々に対応するアプリケーションプログラムが情報配信サーバ２０のＨＤＤからメインメモリに読み出されて、ＣＰＵで演算処理が行われる。番組情報記憶部１０６、映像ファイル格納部１０７、楽曲情報格納部１０８、楽曲ファイル格納部１０９、画面ファイル格納部１１０、広告ファイル格納部１１には、それぞれＨＤＤやメインメモリの所定の記憶領域が割り当てられる。
【００６５】
一方、映像・情報配信サーバ８０では、所定のタイミングで情報配信制御部９２が起動され、店舗サーバ１００で用いられる番組情報、楽曲情報、楽曲ファイル、画面ファイル、広告ファイルの少なくとも一部がそれぞれ番組情報記憶部８６、映像ファイル格納部８７、楽曲情報格納部８８、楽曲ファイル格納部８９、画面ファイル格納部９０、広告ファイル格納部９１から読み出され、店舗サーバ１００に送信されて、店舗サーバ１００の情報が最新の状態に更新されることとなっている。
【００６６】
図９のフローチャートは、試聴端末に表示される待受画面とコピー機に印刷される広告情報を更新するフローを示したものである。図２または図５における情報提供サーバ、もしくは図３または図６における店舗サーバでは、映像コンテンツの配信スケジュールを記憶した番組情報と現在時刻を随時照合している（Ｓ１）。
【００６７】
番組の所定の切換時刻（番組の終了時刻や番組内の楽曲、広告の切換時刻等）に到達すると（Ｓ２）、該時刻が番組情報において試聴端末の待受画面の更新時間となっているかを確認する（Ｓ３）。更新時間に該当する場合は、更新する待受画面ファイルを試聴端末に送信する（Ｓ４）。続いて、該時刻が番組情報において広告情報の更新時間となっているかを確認する（Ｓ５）。更新時間に該当する場合は、更新する広告ファイルをコピー機に送信する（Ｓ６）。
【図面の簡単な説明】
【００６８】
【図１】本発明にかかる情報提供システムの、第１の実施形態の概要を示す図である。
【図２】本発明にかかる情報提供システムの、第１の実施形態にかかる構成の第１の例を示す図である。
【図３】本発明にかかる情報提供システムの、第１の実施形態にかかる構成の第２の例を示す図である。
【図４】本発明にかかる情報提供システムの、第２の実施形態の概要を示す図である。
【図５】本発明にかかる情報提供システムの、第２の実施形態にかかる構成の第１の例を示す図である。
【図６】本発明にかかる情報提供システムの、第２の実施形態にかかる構成の第２の例を示す図である。
【図７】本発明にかかる情報の提供方法における、大型ディスプレイに表示される映像コンテンツと試聴端末に表示される待受画面、コピー機で印刷される広告情報の連動方法の第１の例を示す図である。
【図８】本発明にかかる情報の提供方法における、大型ディスプレイに表示される映像コンテンツと試聴端末に表示される待受画面、コピー機で印刷される広告情報の連動方法の第２の例を示す図である。
【図９】本発明にかかる情報の提供方法における、試聴端末に表示される待受画面とコピー機に印刷される広告情報の更新フローを示すフローチャートである。
【符号の説明】
【００６９】
１０    映像配信サーバ
１１    映像配信制御部
１２    番組情報記憶部
１３    映像ファイル格納部
２０    情報配信サーバ
２１    タッチパネル制御部
２２    楽曲配信制御部
２３    画面配信制御部
２４    広告配信制御部
２５    番組情報記憶部
２６    楽曲情報格納部
２７    楽曲ファイル格納部
２８    画面ファイル格納部
２９    広告ファイル格納部
３０    情報配信制御部
４０    大型ディスプレイ
４１    表示制御装置
５０    試聴端末
６０    コピー機
７０    店舗サーバ
７１    タッチパネル制御部
７２    楽曲配信制御部
７３    画面配信制御部
７４    広告配信制御部
７５    番組情報記憶部
７６    楽曲情報格納部
７７    楽曲ファイル格納部
７８    画面ファイル格納部
７９    広告ファイル格納部
８０    映像・情報配信サーバ
８１    映像配信制御部
８２    タッチパネル制御部
８３    楽曲配信制御部
８４    画面配信制御部
８５    広告配信制御部
８６    番組情報記憶部
８７    映像ファイル格納部
８８    楽曲情報格納部
８９    楽曲ファイル格納部
９０    画面ファイル格納部
９１    広告ファイル格納部
９２    情報配信制御部
１００  店舗サーバ
１０１    映像配信制御部
１０２    タッチパネル制御部
１０３    楽曲配信制御部
１０４    画面配信制御部
１０５    広告配信制御部
１０６    番組情報記憶部
１０７    映像ファイル格納部
１０８    楽曲情報格納部
１０９    楽曲ファイル格納部
１１０    画面ファイル格納部
１１１    広告ファイル格納部
【図１】
2008252662.tif 000003
【図２】
2008252662.tif 000004
【図３】
2008252662.tif 000005
【図４】
2008252662.tif 000006
【図５】
2008252662.tif 000007
【図６】
2008252662.tif 000008
【図７】
2008252662.tif 000009
【図８】
2008252662.tif 000010
【図９】
2008252662.tif 000011